(57)【特許請求の範囲】
【請求項１】
複数の端子を含む端子部が設置される回路基板と、
前記回路基板に設置され、前記端子部に接続される高周波回路と、
前記端子部の端子間を接続するコンデンサーと、
を含み、
前記コンデンサーで接続される前記端子部が前記高周波回路のアンテナであることを特徴とする無線通信装置。
【請求項２】
複数の端子を含む第１端子部が設置される第１回路基板と、
前記第１回路基板に設置され、前記第１端子部に接続される高周波回路と、
複数の端子を含む第２端子部が設置される第２回路基板と、
前記第１端子部と前記第２端子部とを接続する導通部と、
を含み、
前記第１端子部と前記第２端子部とのうち少なくとも一方の前記端子部に含まれる複数の端子間はコンデンサーを介して接続され、
前記第１端子部及び前記第２端子部は、前記高周波回路のアンテナであることを特徴とする無線通信装置。
【請求項３】
請求項１又は２に記載の無線通信装置において、
前記アンテナは、少なくとも第１アンテナと第２アンテナとを含み、
前記第１アンテナと前記第２アンテナとは、互いに略直交する方向に位置することを特徴とする無線通信装置。
【請求項４】
請求項３に記載の無線通信装置において、
前記第１アンテナと前記第２アンテナとは、互いに異なる周波数の通信に使用することを特徴とする無線通信装置。
【請求項５】
請求項１又は２に記載の無線通信装置において、
前記アンテナは、少なくとも第１アンテナと第２アンテナとを含み、
前記第１アンテナは、第１の周波数の通信に使用し、
前記第２アンテナは、前記第１アンテナよりも前記端子部の長さが短く、かつ、前記第１の周波数よりも高い第２の周波数の通信に使用することを特徴とする無線通信装置。
【請求項６】
請求項１〜５のいずれか一項に記載の無線通信装置において、
前記端子部は、前記回路基板の両面に分けて配置する、又は同一面に配置する、ことを特徴とする無線通信装置。
【請求項７】
請求項６に記載の無線通信装置において、
前記アンテナは、ダイポールアンテナであることを特徴とする無線通信装置。
【請求項８】
請求項６に記載の無線通信装置において、
前記アンテナは、ダイバーシティーアンテナであることを特徴とする無線通信装置。
【請求項９】
請求項２〜８のいずれか一項に記載の無線通信装置において、
前記第２回路基板に設置され、かつ、前記第２端子部に接続される第１内部回路と、
前記第１回路基板に設置され、かつ、前記第１端子部に接続され、かつ、直流信号又は低周波信号が出力される第２内部回路と、を含み、
一端が前記第２端子部に接続され、他端が前記第１内部回路に接続される第１高周波遮断素子と、
一端が前記第１端子部に接続され、他端が前記第２内部回路に接続される第２高周波遮断素子との、
少なくとも一方をさらに含むことを特徴とする無線通信装置。
【請求項１０】
請求項９に記載の無線通信装置において、
前記第１及び第２高周波遮断素子は、インダクタンス素子であることを特徴とする無線通信装置。
【請求項１１】
請求項９に記載の無線通信装置において、
前記第１及び第２高周波遮断素子は、抵抗素子であることを特徴とする無線通信装置。
【請求項１２】
請求項９〜１１のいずれか一項に記載の無線通信装置において、
前記第１内部回路は、表示部であり、
前記第２内部回路は、信号処理用のデジタルＩＣであることを特徴とする無線通信装置。
【発明の詳細な説明】
【技術分野】
【０００１】
本発明は、無線通信装置に関するものである。
【背景技術】
【０００２】
近年、無線通信装置の小型化が進み腕時計タイプのものも出現している。また、異なる周波数の別々の通信機能を有するものもある。例えば２．４ＧＨｚ帯の通信機能を有するとともに、１．５７５ＧＨｚ帯のＧＰＳ受信機能を有する機器である。こうした機器により、アウトドア環境において位置表示、時刻表示を得ることができる。小型・軽量化のための高密度実装が必須であるとともに、厳しい通信環境の下、通信品質の向上のためアンテナ構造が重要である。
【０００３】
また、二つの周波数で別々の通信を行う小型無線通信装置において、板金で構成された二つのアンテナを用意し、アンテナ間の干渉を低減するためにアンテナ間の距離を大きくする構造が示されている（例えば、特許文献１参照）。
【先行技術文献】
【特許文献】
【０００４】
【特許文献１】特開２００８−１１０１６号公報
【発明の概要】
【発明が解決しようとする課題】
【０００５】
しかしながら、特許文献１の構造では、板金で構成されたアンテナ素子が必要な上、高周波回路とアンテナとの接続手段が必要となり、さらにアンテナ間の干渉を低減するためにアンテナ配置に制限が加わる。そのため、機器の小型・軽量化・低コスト化が困難となる虞がある。
【課題を解決するための手段】
【０００６】
本発明は、上述の課題の少なくとも一部を解決するためになされたものであり、以下の形態又は適用例として実現することが可能である。
【０００７】
［適用例１］複数の端子を含む端子部が設置される回路基板と、前記回路基板に設置され、前記端子部に接続される高周波回路と、前記端子部の端子間を接続するコンデンサーと、を含み、前記コンデンサーで接続される前記端子部が前記高周波回路のアンテナであることを特徴とする無線通信装置。
【０００８】
これによれば、コンデンサーで接続される端子部を高周波回路のアンテナとして機能させることにより、チップアンテナ等のアンテナ素子が不要となる上、アンテナ接続手段も不要となるため、アンテナを使用する無線通信装置の小型・軽量化・低コストが可能となる。
【０００９】
また、一般に端子部は回路基板外周部に設置されている。この位置は自由空間に近く、またノイズ源となるＣＰＵ等のＩＣから離れる。したがって、これをアンテナとして機能するように使用した場合、アンテナ性能が向上する。
【００１０】
［適用例２］複数の端子を含む第１端子部が設置される第１回路基板と、前記第１回路基板に設置され、前記第１端子部に接続される高周波回路と、複数の端子を含む第２端子部が設置される第２回路基板と、前記第１端子部と前記第２端子部とを接続する導通部と、を含み、前記第１端子部と前記第２端子部とのうち少なくとも一方の前記端子部に含まれる複数の端子間はコンデンサーを介して接続され、前記第１端子部及び前記第２端子部は、前記高周波回路のアンテナであることを特徴とする無線通信装置。
【００１１】
これによれば、第１端子部と第２端子部とのうち少なくとも一方の端子部に含まれる複数の端子間をコンデンサーを介して接続し、第１端子部及び第２端子部を高周波回路のアンテナとして機能させることにより、チップアンテナ等のアンテナ素子が不要となる上、アンテナ接続手段も不要となるため、複数のアンテナを使用する無線通信装置の小型・軽量化・低コストが可能となる。
【００１２】
また、一般に第１端子部及び第２端子部は各回路基板外周部に設置されている。この位置は自由空間に近く、またノイズ源となるＣＰＵ等のＩＣから離れる。したがって、これをアンテナとして機能するように使用した場合、アンテナ性能が向上する。
【００１３】
［適用例３］上記無線通信装置であって、前記アンテナは、少なくとも第１アンテナと第２アンテナとを含み、前記第１アンテナと前記第２アンテナとは、互いに略直交する方向に位置することを特徴とする無線通信装置。
【００１４】
これによれば、アンテナ間の相互干渉が少なく、効率の良い無線通信が可能となる。
【００１５】
［適用例４］上記無線通信装置であって、前記第１アンテナと前記第２アンテナとは、互いに異なる周波数の通信に使用することを特徴とする無線通信装置。
【００１６】
これによれば、異なる周波数で別々の通信を行うことができる。
【００１７】
［適用例５］上記無線通信装置であって、前記アンテナは、少なくとも第１アンテナと第２アンテナとを含み、前記第１アンテナは、第１の周波数の通信に使用し、前記第２アンテナは、前記第１アンテナよりも前記端子部の長さが短く、かつ、前記第１の周波数よりも高い第２の周波数の通信に使用することを特徴とする無線通信装置。
【００１８】
これによれば、効率の良い無線通信を実現することができる。
【００１９】
［適用例６］上記無線通信装置であって、前記端子部は、前記回路基板の両面に分けて配置する、又は同一面に配置する、ことを特徴とする無線通信装置。
【００２０】
これによれば、高性能なアンテナ構成を選択することにより、高周波回路の送信効率及び受信感度が向上する。
【００２１】
［適用例７］上記無線通信装置であって、前記アンテナは、ダイポールアンテナであることを特徴とする無線通信装置。
【００２２】
これによれば、高性能なアンテナとなるので高周波回路の送信効率、受信感度が向上する。モノポールアンテナでは、その性能を発揮させるためには大面積のＧＮＤが必要であるが、腕時計タイプのような小型無線通信装置では十分に確保することが困難である。一方、ダイポールアンテナは原理的にＧＮＤを必要としないため腕時計タイプのような小型無線通信装置においては好適である。
【００２３】
［適用例８］上記無線通信装置であって、前記アンテナは、ダイバーシティーアンテナであることを特徴とする無線通信装置。
【００２４】
これによれば、受信状態の良い方のアンテナを選択できるため、高性能なアンテナとなり高周波回路の送信効率、受信感度が向上する。
【００２５】
［適用例９］上記無線通信装置であって、前記第２回路基板に設置され、かつ、前記第２端子部に接続される第１内部回路と、前記第１回路基板に設置され、かつ、前記第１端子部に接続され、かつ、直流信号又は低周波信号が出力される第２内部回路と、を含み、一端が前記第２端子部に接続され、他端が前記第１内部回路に接続される第１高周波遮断素子と、一端が前記第１端子部に接続され、他端が前記第２内部回路に接続される第２高周波遮断素子との、少なくとも一方をさらに含むことを特徴とする無線通信装置。
【００２６】
これによれば、高周波回路とアンテナとは、第１高周波遮断素子を介して第１内部回路と接続された第２回路基板の面にある第２端子部を介して接続されるため、第１内部回路に入力される信号の直流信号又は低周波信号と、高周波回路に使用される高周波信号と、は周波数で分離される。また、高周波回路とアンテナとは、第２高周波遮断素子を介して第２内部回路と接続された第１回路基板の面にある第１端子部を介して接続されるため、第２内部回路に入力される信号の直流信号又は低周波信号と、高周波回路に使用される高周波信号と、は周波数で分離される。
【００２７】
［適用例１０］上記無線通信装置であって、前記第１及び第２高周波遮断素子は、インダクタンス素子であることを特徴とする無線通信装置。
【００２８】
これによれば、インダクタンス素子がいわゆるローパスフィルターの働きをする。すなわち、高周波信号の周波数成分に対しては高インピーダンスとなり、直流信号又は低周波信号の周波数成分に対しては低インピーダンスとなるので、第１及び第２内部回路への高周波信号の漏洩を防止することができるとともに、第１及び第２端子部に印加された直流信号又は低周波信号を第１及び第２内部回路へ流すことができる。
【００２９】
［適用例１１］上記無線通信装置であって、前記第１及び第２高周波遮断素子は、抵抗素子であることを特徴とする無線通信装置。
【００３０】
これによれば、抵抗素子は、高周波信号（電流量大）を遮断する機能を有している。また、第１及び第２内部回路に流れる電流は微小であるから、ある程度の抵抗値は許容できるため、第１及び第２端子部に印加された直流信号又は低周波信号を第１及び第２内部回路へ流すことができる。
【００３１】
［適用例１２］上記無線通信装置であって、前記第１内部回路は、表示部であり、前記第２内部回路は、信号処理用のデジタルＩＣであることを特徴とする無線通信装置。
【００３２】
これによれば、無線通信装置内の情報を目視確認及びデジタル信号処理することができる。
【図面の簡単な説明】
【００３３】
【図１】第１の実施形態に係る腕装着型無線通信装置の全体構成を示す説明図。
【図２】第１の実施形態に係る腕装着型無線通信装置に搭載された回路組立体を示す平面図及び底面図。
【図３】第１の実施形態に係る腕装着型無線通信装置を示す上面図。
【図４】第１の実施形態に係る回路基板の上面を示す図。
【図５】第２の実施形態に係る回路基板の上面を示す図及び断面図。
【図６】第２の実施形態に係る腕装着型無線通信装置を示す上面図。
【図７】第３の実施形態に係る腕装着型無線通信装置を示す断面図。
【図８】第３の実施形態に係る表示パネル基板の上面を示す図。
【図９】第４の実施形態に係る腕装着型無線通信装置を示す断面図。
【図１０】第５の実施形態に係る回路基板の上面を示す図。
【図１１】実施例１に係る腕装着型無線通信装置を示すブロック図。
【図１２】実施例１に係る回路基板の上面を示す図。
【図１３】実施例１に係る表示パネル基板の上面を示す図。
【図１４】実施例３に係るアンテナの構成を示す図。
【図１５】実施例４に係るアンテナの構成を示す図。
【発明を実施するための形態】
【００３４】
図面に基づいて、本実施形態に係る無線通信装置としての腕装着型無線通信装置を説明する。
【００３５】
（第１の実施形態）
図１は、本実施形態に係る腕装着型無線通信装置の全体構成を示す説明図である。図２は、本実施形態に係る腕装着型無線通信装置に搭載された回路組立体を示す平面図及び底面図である。
【００３６】
本実施形態に係る腕装着型無線通信装置２は、液晶表示パネル（表示部）（第１内部回路）１０が配置されている側が表面側とされる装置本体１２と、一対の腕バンド１４Ｒ，１４Ｌとから構成されている。それぞれの腕バンド１４Ｒ，１４Ｌは、各バンド基端が装置本体１２の両端に取り付けられており、これらのバンドは、各末端部で尾錠１６によって相互に結合することが可能になっている。
【００３７】
装置本体１２は、表面側のケーシング１８と、装置本体１２の裏側でケーシング１８の裏側に固定される裏カバー２０とで構成されている。ケーシング１８と裏カバー２０とによって構成された装置本体１２には、回路組立体２２が内蔵されている。回路組立体２２は、その主要構成部品が、装置本体１２の内部においてその厚さ方向に積層配置された構造になっている。すなわち、回路組立体２２では、図２に示すように、液晶表示パネル１０と、回路基板（第１回路基板）２４と、回路駆動用電池２６とが厚さ方向に配置されている。
【００３８】
図３は、本実施形態に係る腕装着型無線通信装置２を示す上面図である。腕装着型無線通信装置２は、回路基板２４と、表示パネル基板（第２回路基板）３２と、を備えている。回路基板２４上には、後述する種々の集積回路（ＩＣ：Integrated Circuit）と、回路基板側端子と、が配置されている。回路基板２４には、多層基板が用いられ、ガラス−エポキシ基板やフェノール樹脂基板やセラミック基板からなる基板に表層パターン（配線パターン）が形成されている。
【００３９】
表示パネル基板３２上には、液晶表示パネル１０と、後述する表示パネル側端子と、が配置されている。
【００４０】
一般に、回路基板２４上の回路基板側端子と表示パネル基板３２上の表示パネル側端子とは、「導体に金属粒子を使用した導電シリコーンゴムと電気絶縁性シリコーンゴムとをゼブラ状に交互に積層したゴムコネクター」（通称ゼブラ、以下ゼブラコネクター（導電部）と称す）により接続されている。ここで、液晶表示パネル１０に供給される信号は直流信号又は低周波数（１ＭＨｚ以下）の信号であるから、現在通常無線通信に使用される例えば周波数２．４ＧＨｚあるいは１．５７５ＧＨｚの高周波信号と分離させることができる。
【００４１】
図４は、本実施形態に係る回路基板２４の上面を示す図である。なお、図４は、回路基板２４から表示パネル基板３２（図３参照）を外した状態である。回路基板２４には、送信及び受信の機能を備える高周波アナログＩＣ（高周波回路）３６と、第１端子部を構成する複数の回路基板側端子２８と、高周波アナログＩＣ３６と回路基板側端子２８とを接続する配線５２とが配置されている。高周波アナログＩＣ３６は、例えば２．４ＧＨｚあるいは１．５７５ＧＨｚといった高周波信号（ＲＦ信号）を送受信する。
【００４２】
回路基板側端子２８は、回路基板２４と表示パネル基板３２との接続用端子として機能する他に、腕装着型無線通信装置２の高周波アナログＩＣ３６のアンテナとして機能する。複数の回路基板側端子２８は、それぞれ違った信号を伝送するため、当然分離されている。したがって、そのままではアンテナとして機能しない。そこで、複数の回路基板側端子２８に小容量の結合コンデンサー６８を接続する。つまり、高周波的に接続する。一方、回路基板側端子２８にかかる信号は、直流信号又は低周波数の信号であるから小容量の結合コンデンサー６８で結合しても機能的に問題の発生する虞はない。また、複数の回路基板側端子２８に接続する結合コンデンサー６８の個数でアンテナ長、つまり周波数を調整できる。
【００４３】
一般に回路基板側端子２８は回路基板２４外周部に設置されている。この位置は自由空間に近く、またノイズ源となるＣＰＵ等のＩＣから離れている。したがって、これをアンテナとして使用した場合、アンテナ性能が向上する。
【００４４】
ここで、結合コンデンサー６８で接続された回路基板側端子２８間のインピーダンスについて説明する。結合コンデンサー６８の容量Ｃを２０ｐＦとする場合、高周波信号の周波数が２．４ＧＨｚのインピーダンスＺはＺ＝１／ｊωＣからインピーダンスＺは約３オームである。ここで、ωは角周波数である。周波数が１．５７５ＧＨｚのインピーダンスＺは約５オームである。この値であれば、高周波信号は十分な低インピーダンスで接続できる。
【００４５】
一方、回路基板側端子２８にかかる信号は、直流信号又は低周波数の信号であるからこの程度の容量で結合しても問題の発生する虞はない。例えば、周波数が１ＭＨｚとするとインピーダンスＺは約８Ｍオームとなり、この周波数においては略オープンと見なせる。
【００４６】
また、複数の回路基板側端子２８に接続する結合コンデンサー６８の個数でアンテナ長、つまり周波数を調整することができる。例えば、２．４ＧＨｚの真空中の波長λは、１２．５ｃｍである。モノポールアンテナの必要長は、λ／４であるため、３．１２５ｃｍである。ここで例えば、ガラスエポキシ基板を使用した場合、比誘電率εｒは４．７として、アンテナの必要長は３．１２５÷４．７＾（１／２）で１．４４ｃｍとなる。また例えば、高誘電率セラミック基板を使用した場合、比誘電率εｒは３０として、アンテナの必要長は３．１２５÷３０＾（１／２）で０．５７ｃｍとなる。
【００４７】
また、例えば、１．５７５ＧＨｚの真空中の波長λは、１９ｃｍである。モノポールアンテナの必要長は、λ／４であるため、４．７５ｃｍである。ここで例えば、ガラスエポキシ基板を使用した場合、比誘電率εｒは４．７として、アンテナの必要長は４．７５÷４．７＾（１／２）で２．１９ｃｍとなる。また例えば、高誘電率セラミック基板を使用した場合、比誘電率εｒは３０として、アンテナの必要長は４．７５÷３０＾（１／２）で０．８７ｃｍとなる。上記のアンテナ長の値はいずれも実施可能な値である。
【００４８】
本実施形態によれば、腕装着型無線通信装置２において、複数の回路基板側端子２８のうち少なくとも１つの連続する端子間をアンテナとして使用するので、チップアンテナ等のアンテナ素子が不要となる上、アンテナ接続手段も不要となるため、機器の小型・軽量化・低コストが可能となる。
【００４９】
（第２の実施形態）
図５は、本実施形態に係る回路基板の上面を示す図及び断面図である。図５（Ａ）は上面図であり、図５（Ｂ）は断面図であり、図５（Ｃ）は容量結合を示す図である。なお、図５は、回路基板２４から表示パネル基板３２（図３参照）を外した状態である。また本実施形態の説明において、前述の実施形態と同一の構成については同一の符号を付し、その説明を省略する。
【００５０】
本実施形態に係る腕装着型無線通信装置４は、図５（Ａ）に示すように、前述の腕装着型無線通信装置２の結合コンデンサー６８（図４参照）に換えて、回路基板側端子２８の対向する部分の回路基板２４の外層（あるいは内層）にパターン（導体）６４を設けている。これにより、図５（Ｃ）に示すように、回路基板側端子２８間を容量結合させることにより、回路基板側端子２８をアンテナとして機能させる。
【００５１】
ここで、回路基板側端子２８間の結合容量について説明する。平板コンデンサーの容量は、Ｃ＝ε×ε0×Ｓ／ｄである。ここで、εは比誘電率、ε0は真空中の誘電率、Ｓは回路基板側端子２８の面積、ｄは回路基板側端子２８とパターン（導体）６４との距離である。回路基板２４に高誘電率基板を使用して、εが３０、Ｓが０．４ｍｍ2（長さ２ｍｍ、幅０．２ｍｍ）、ｄが０．０１ｍｍとすると、結合容量は約１０．６ｐＦとなる。この場合、高周波信号の周波数が２．４ＧＨｚのインピーダンスＺはＺ＝１／ｊωＣから約６オームである。ここで、ωは角周波数である。なお、コンデンサー１個当たり約６オームとなるので回路基板側端子２８間は約１２オームとなり十分な低インピーダンスで接続できる。この容量により複数の回路基板側端子２８を高周波的に接続することができる。また、周波数が１．５７５ＧＨｚのインピーダンスＺは約１８オームであり、十分な低インピーダンスで接続できる。
【００５２】
一方、回路基板側端子２８にかかる信号は、直流信号又は低周波数の信号であるからこの程度の容量で結合しても問題の発生する虞はない。例えば、周波数が１ＭＨｚとすると１個当たりのインピーダンスは約１５Ｍオームで回路基板側端子２８間は約３０Ｍオームとなり略オープンと見なせる。
【００５３】
また、パターン（導体）６４の長さでアンテナ長、つまり周波数を第１の実施形態で説明したように調整することができる。
【００５４】
図６は、本実施形態に係る回路基板２４の上面を示す図である。図６は、回路基板２４から表示パネル基板３２（図３参照）を外した状態である。回路基板２４には、信号処理用デジタルＩＣ（第２内部回路）３８が配置されている。信号処理用デジタルＩＣ３８は、アナログ／デジタル変換前に受信信号をサンプリングするデジタル回路やフェイズ・ロック・ループ回路などが組み込まれている。
【００５５】
信号処理用デジタルＩＣ３８への高周波信号の漏洩を確実に防止するため、高周波アナログＩＣ３６から見て、回路基板２４上の信号処理用デジタルＩＣ３８のインピーダンスが低い場合やラインが長い場合には、信号処理用デジタルＩＣ３８と回路基板側端子２８との間に第２高周波遮断素子としてのインダクタンス素子４６あるいは抵抗素子４８を挿入してもよい。信号処理用デジタルＩＣ３８に供給される信号は、直流信号又は低周波数の信号であり、また電流も微小であるからインダクタンス素子４６や抵抗素子４８を挿入してもほとんど問題の発生する虞はない。
【００５６】
また、本実施形態は、ゼブラコネクターを介して高周波信号が表示パネル基板３２へ漏洩する虞があるため、ゼブラコネクターを高抵抗にするかインダクタンス特性を持たせることが望ましい。この場合も、液晶表示パネル１０に供給される信号は、直流信号又は低周波数の信号であり、また電流も微小であるからほとんど問題の発生する虞はない。
【００５７】
本実施形態によれば、コンデンサーを実装する必要がないため、さらに装置の小型・軽量化・低コストが可能となる。
【００５８】
（第３の実施形態）
図７は、本実施形態に係る腕装着型無線通信装置を示す断面図である。本実施形態の説明において、前述の実施形態と同一の構成については同一の符号を付し、その説明を省略する。
【００５９】
本実施形態に係る腕装着型無線通信装置６は、回路基板２４上の回路基板側端子２８と表示パネル基板３２上の第２端子部を構成する複数の表示パネル側端子４０とを接続するゼブラコネクター４２が配置されている。腕装着型無線通信装置６は、第２の実施形態に加えて、ゼブラコネクター４２そのものもアンテナとして機能するように使用する。一般にゼブラコネクター４２は回路基板２４外周部に設置されている。この位置は自由空間に近く、またノイズ源となるＣＰＵ等のＩＣから離れている。したがって、ゼブラコネクター４２をアンテナとして機能するように使用した場合、アンテナ性能がさらに向上する。また、ゼブラコネクター４２によりアンテナとして機能して使用する導体体積が増えるため、アンテナ性能が向上する。なおこの場合、ゼブラコネクター４２の抵抗は低い方が望ましい。
【００６０】
図８は、本実施形態に係る表示パネル基板３２の上面を示す図である。液晶表示パネル１０への高周波信号の漏洩を確実に防止するため、高周波アナログＩＣ３６（図６参照）から見て、表示パネル基板３２上の液晶表示パネル１０のインピーダンスが低い場合やラインが長い場合には、液晶表示パネル１０と表示パネル側端子４０との間に第１高周波遮断素子としてのインダクタンス素子４６や抵抗素子４８を挿入してもよい。液晶表示パネル１０に供給される信号は、直流信号又は低周波数の信号であり、また電流も微小であるからインダクタンス素子４６や抵抗素子４８を挿入してもほとんど問題の発生する虞はない。
【００６１】
（第４の実施形態）
図９は、本実施形態に係る腕装着型無線通信装置を示す断面図である。なお、本実施形態の説明において、前述の実施形態と同一の構成については同一の符号を付し、その説明を省略する。
【００６２】
本実施形態に係る腕装着型無線通信装置８は、前述の腕装着型無線通信装置６に加えて、表示パネル側端子４０の対向する部分の表示パネル基板３２の外層（あるいは内層）にパターン（導体）６６を設けている。これにより、図９に示すように、表示パネル側端子４０間を容量結合させることにより、表示パネル側端子４０をアンテナとして機能させる。
【００６３】
本実施形態によれば、コンデンサーを実装する必要がないため、さらに装置の小型・軽量化・低コストが可能となる。
【００６４】
（第５の実施形態）
図１０は、本実施形態に係る回路基板２４の上面を示す図である。なお、本実施形態の説明において、前述の実施形態と同一の構成については同一の符号を付し、その説明を省略する。
【００６５】
一般に、回路基板２４と表示パネル基板３２（図９参照）との接続は上下又は左右一対で行われる。そこで、本実施形態に係る腕装着型無線通信装置１００は、上下それぞれの回路基板側端子２８をパターン（導体）６４により容量結合させアンテナとして機能するように使用する。また、回路基板２４と表示パネル基板３２とを接続する各端子部は回路基板２４の両面に分けて配置する、又は同一面に配置してもよい。
【００６６】
次に、上記実施形態に係る複数の周波数を使用する腕装着型無線通信装置について実施例を用いて説明する。
（実施例１）
図１１は、本実施例に係る腕装着型無線通信装置を示すブロック図である。本実施例に係る腕装着型無線通信装置１００は、高周波アナログＩＣ（高周波回路）３６ａと、第１アンテナ７０ａと、高周波アナログＩＣ（高周波回路）３６ｂと、第２アンテナ７０ｂと、表示部５０と、制御部５１と、を備える。高周波アナログＩＣ３６ａは、２．４Ｇ通信機能を担当し、そのアンテナ機能は、第１アンテナ７０ａが担当する。高周波アナログＩＣ３６ｂは、１．５７５ＧＧＰＳ受信機能を担当し、そのアンテナ機能は、第２アンテナ７０ｂが担当する。表示部５０は、通信コンテンツ、地図情報、時刻情報を表示する。制御部５１は、システムをコントロールする。
【００６７】
第１アンテナ７０ａとして、図１２に示す右側ゼブラコネクター４２、回路基板側端子２８、及び表示パネル側端子４０を使用、第２アンテナ７０ｂとして、上側ゼブラコネクター４２、回路基板側端子２８、及び表示パネル側端子４０を使用する。
【００６８】
これにより、チップアンテナ等のアンテナ素子が不要となる上、アンテナ接続手段も不要となるため、装置の小型・軽量化・低コストが可能となる。また、異なる周波数の第１及び第２アンテナ７０ａ，７０ｂとして使用する二つのゼブラコネクター４２の各端子部及びゼブラコネクター４２は垂直に配置されている。言い換えると第１アンテナ７０ａと第２アンテナ７０ｂとは、互いに略直交する方向に位置しているため、相互干渉が低減される。さらに、異なる周波数の第１及び第２アンテナ７０ａ，７０ｂとして使用する二つのゼブラコネクター４２の各端子部及びゼブラコネクター４２の長さが異なる場合、ゼブラコネクター４２の長さの長い方を、周波数の低い（波長が長い）方の通信に使用し、長さの短い方を、周波数の高い（波長が短い）方の通信に使用する。これにより、効率の良い無線通信を実現することができる。
【００６９】
高周波アナログＩＣ３６から見て、表示パネル基板３２上の液晶表示パネル１０のインピーダンスが低い場合やラインが長い場合は、高周波信号の、液晶表示パネル１０への漏洩を確実に防止するために、インダクタンス素子４６や抵抗素子４８を挿入してもよい。液晶表示パネル１０に供給される信号は、直流又は極めて低い周波数の信号であり、また電流も微小であるからインダクタンス素子４６や抵抗素子４８を挿入してもほとんど問題にならない。
【００７０】
図１２は、本実施例に係る回路基板２４の上面を示す図である。本実施例に係る腕装着型無線通信装置１００は、上記第２の実施形態のように信号処理用デジタルＩＣ３８と回路基板側端子２８との間にインダクタンス素子４６あるいは抵抗素子４８を挿入してもよい。
【００７１】
図１３は、本実施例に係る表示パネル基板３２の上面を示す図である。本実施例に係る腕装着型無線通信装置１００は、上記第３の実施形態のように液晶表示パネル１０と表示パネル側端子４０との間にインダクタンス素子４６や抵抗素子４８を挿入してもよい。
【００７２】
なお、本実施例に係る腕装着型無線通信装置１００は、上記第１及び第２の実施形態を適用可能してもよい。
【００７３】
（実施例２）
本実施例に係る腕装着型無線通信装置１００は、上記第５の実施形態のように回路基板２４と表示パネル基板３２（図９参照）との接続は上下又は左右一対で行われてもよい。
【００７４】
（実施例３）
図１４は、本実施例に係るアンテナの構成を示す図である。本実施例に係る腕装着型無線通信装置１００は、図１４に示すように、２箇所の回路基板側端子２８がダイポールアンテナ５４として機能するように構成する。これにより、高性能なアンテナとなるので送信効率、受信感度が向上する。モノポールアンテナでは、その性能を発揮させるためには大面積のＧＮＤが必要であるが、腕装着型無線通信装置のような小型装置では十分に確保することが困難である。一方、ダイポールアンテナは原理的にＧＮＤを必要としないため腕装着型無線通信装置のような小型無線装置においては好適である。左右ペアに適用してもよい。もちろん、一方のペアのみに適用してもよく両方のペアに適用してもよい。
【００７５】
（実施例４）
図１５は、本実施例に係るアンテナの構成を示す図である。なお、本実施例の説明において、前述の実施形態及び実施例と同一の構成については同一の符号を付し、その説明を省略する。
【００７６】
本実施例に係る腕装着型無線通信装置１００は、図１５に示すように、２箇所の回路基板側端子２８がダイバーシティーアンテナ５６として機能するように構成する。これにより、２つの電波受信ルートで信号を入力させるようにしたため、受信状態の良い方のアンテナの機能を選択できるため、高性能なアンテナとなり送信効率、受信感度が向上する。左右ペアに適用してもよい。もちろん、一方のペアのみに適用してもよく両方のペアに適用してもよい。
【００７７】
なお、本実施形態を利用できる無線通信装置としては、上記に示す腕装着型無線通信装置以外にも、省スペースに高周波回路とアンテナ素子とを使用するページャー（携帯用小型無線機呼び出し機）、電話機、テレビ、ＧＰＳ（Global Positioning System）等の衛星受信機、及び無線ＬＡＮ（Local Area Network）等がある。
【符号の説明】
【００７８】
２，４，６，８，１００…腕装着型無線通信装置（無線通信装置）  １０…液晶表示パネル（表示部）（第１内部回路）  １２…装置本体  １４Ｒ，１４Ｌ…腕バンド  １６…尾錠  １８…ケーシング  ２０…裏カバー  ２２…回路組立体  ２４…回路基板（第１回路基板）  ２６…回路駆動用電池  ２８…回路基板側端子  ３２…表示パネル基板（第２回路基板）  ３６，３６ａ，３６ｂ…高周波アナログＩＣ（高周波回路）  ３８…信号処理用デジタルＩＣ（第２内部回路）  ４０…表示パネル側端子  ４２…ゼブラコネクター（導通部）  ４６…インダクタンス素子（第１及び第２高周波遮断素子）  ４８…抵抗素子（第１及び第２高周波遮断素子）  ５０…表示部  ５１…制御部  ５２…配線  ５４…ダイポールアンテナ  ５６…ダイバーシティーアンテナ  ６４，６６…パターン（導体）  ６８…結合コンデンサー（コンデンサー）  ７０ａ…第１アンテナ  ７０ｂ…第２アンテナ。
【図１】
0005664329.tif 000002
【図２】
0005664329.tif 000003
【図３】
0005664329.tif 000004
【図４】
0005664329.tif 000005
【図５】
0005664329.tif 000006
【図６】
0005664329.tif 000007
【図７】
0005664329.tif 000008
【図８】
0005664329.tif 000009
【図９】
0005664329.tif 000010
【図１０】
0005664329.tif 000011
【図１１】
0005664329.tif 000012
【図１２】
0005664329.tif 000013
【図１３】
0005664329.tif 000014
【図１４】
0005664329.tif 000015
【図１５】
0005664329.tif 000016